(57)【特許請求の範囲】
【請求項１】
支柱の上端に角部を載置することで床スラブから配線用の空間を隔てて設置され、配線用の空間から電線を床上に引き出す通線口を通線口用蓋で覆ってなる床パネルと、前記通線口の下部に配置され、内部に接続器等を備えた上面開口を有するボックスとを備え、前記通線口用蓋を開くことにより前記ボックスに内蔵した接続器等にプラグ等の接続が可能となるように構成した簡易型インナーコンセントであって、
床パネルの外周縁部に外側及び上方に開口する平面視略コ字状の凹部を形成してこの凹部の底面に通線口を形成し、隣接する支柱間に長尺状の支持手段を掛け渡して、当該通線口の下部に配置されるボックスを、その上面開口が同通線口に対応位置される状態で、かつ通線口の下部とボックスの上面開口の上端との間に平面視略環状の弾性体を挟み込むように同支持手段に固定したことを特徴とする簡易型インナーコンセント。
【発明の詳細な説明】
【０００１】
【発明の属する技術分野】
本発明は、床スラブから配線用の空間を隔てて設置されるアクセスフロア用の簡易型インナーコンセントに関するものである。
【０００２】
【従来の技術】
コンクリートスラブのような床スラブ上に支柱を所定間隔で立設し、それらの支柱の上端に床パネルの角部を載置することによって床パネルを床スラブの上方に支持して、床パネルと床スラブ間に配線のための空間を設けるように構成されたアクセスフロアがあり、従来は、蓋体を備えたインナーコンセントをアクセスフロア面に取り付け、蓋体であるカバーを開けてプラグの挿抜を行ったり、床スラブ上に床下コンセントボックスを配置し、床パネルの通線口を覆っている通線口用蓋を部分的に除去してその通線口に電線を挿通させ床上に電線を引き出すという配線工事が行われていた。
【０００３】
【特許文献１】
特開平６−３８３４８号公報
【０００４】
【特許文献２】
特開平６−２８４５３４号公報
【０００５】
【発明が解決しようとする課題】
しかし、アクセスフロア面に取り付けるインナーコンセントでは、アクセスフロア面に取り付ける構造であるため、床フロア及び床フロア上に敷かれるタイルカーペットを部分的に切断して除去する必要があった。また、アクセスフロア面に取り付けるインナーコンセントでは、蓋体となるカバーまたはプレートが床フロア上に突出し美観を損ねるという問題点もあった。さらに、蓋体を備えたインナーコンセントは、それ自体、床フロアの一部を構成するので強度が必要であり高価になるという問題点もあった。一方、床スラブ上に配置される床下コンセントボックスは、安価ではあるが、プラグを床下に設けたコンセントに抜き差しするためには床パネルをめくる必要があるという問題点があり、また、床パネルの下方に溜まる埃等がコンセント部分に入り込み、トラッキング現象等の火災の原因になる可能性があった。
【０００６】
本発明は、上記問題点に鑑みなされたもので、その目的とするところは、床上から容易にアクセスできる安価な簡易型インナーコンセントの構造を提供することにある。
【０００７】
【課題を解決するための手段】
上記目的を達成するため、本願の簡易型インナーコンセントは、床スラブから配線用の空間を隔てて設置され、配線用の空間から電線を床上に引き出す通線口を通線口用蓋で覆ってなる床パネルと、前記通線口の下部に配置され、内部に接続器等を備えた上面開口を有するボックスとを備え、前記通線口用蓋を開くことにより前記ボックスに内蔵した接続器等にプラグ等の接続が可能となるように構成した簡易型インナーコンセントであって、床パネルの外周縁部に外側及び上方に開口する平面視略コ字状の凹部を形成してこの凹部の底面に通線口を形成し、この通線口の下部に配置されるボックスをその上面開口が同通線口に対応位置される状態で固定したことを特徴とする。
【０００８】
また、支柱の上端に床パネルの角部を載置することでこの床パネルは支持されており、隣接する支柱間に長尺状の支持手段を掛け渡して固定し、ボックスの上面開口が通線口の下部に対応位置されるように、このボックスを同支持手段に取り付け固定したことを特徴とする。
【０００９】
さらに、床パネルの通線口の下部とボックスの上面開口の上端との間に、平面視略環状の弾性体を挟み込まれるように設けたことを特徴とする。
【００１０】
【発明の実施の形態】
図１乃至図５に基づいて本発明の一実施形態について説明する。図１は本発明の簡易型インナーコンセントを施工した状態を示す断面図、図２は分解斜視図、図３はコンセント等の接続器等を内蔵するボックスの分解斜視図、図４はボックスの取り付け方法を示す説明図、図５は電線を床上に引き出した状態を示す平面図である。
【００１１】
図１及び図２で、１は床基体である床スラブ、２は、床スラブ１上に固定される基台２ａと、一端が基台２ａに接合され基台２ａ上に立設されるネジ部２ｂと、ネジ部２ｂの他端に螺合される載置台２ｃとで構成される支柱である。３は、支柱２の載置台２ｃ上にその角部が載置されて、床スラブ１の上方に支持される平面視略正方形の板状の床パネルである。床パネル３で、その外周縁部の一辺及びその対辺の中央付近に、外側及び上方に開口する平面視略コ字状の凹部３ａが形成され、それらの凹部３ａの底面には電線を挿通させるための通線口３ｂが形成されており、凹部３ａの底面部分（通線口３ｂの周縁部）は平面視略コ字状の鍔部３ｃとなるように構成されている。
【００１２】
また、４は床パネル３に設けられた通線口３ｂを塞ぐ平面視略平板状の通線口用蓋であり、通線口用蓋４の外周縁部が床パネル３の鍔部３ｃの上面に当接するように通線口用蓋４を凹部３ａ内に取り付けることによって、通線口３ｂは通線口用蓋４によって塞がれ、通線口用蓋４の上面が床パネル３の上面と略面一になるように構成されている。また、図２及び図５に示すように、通線口用蓋４は、床パネル３の中心側の外周縁部が部分的に除去されて凹部４ａが形成されており、通線口３ｂに通線口用蓋４を取り付けた状態でも、凹部４ａに電線５を挿通させることによって床パネル３下方の配線のための空間から床パネル３上に電線５を引き出すことが可能である。
【００１３】
さらに、６は、通線口３ｂの下部に、後述するボックスを配置するための長尺状の支持手段（以下、固定取付台６）であり、隣接する支柱２，２のネジ部２ｂ，２ｂ間に掛け渡されて床スラブ１から所定高さに固定されている。長尺状の固定取付台６は、一端に支柱２のネジ部２ｂに係合する係合凹部６ａが形成され、中央に長手方向に延びる取り付け溝６ｂが形成された本体６ｃと、一端が本体６ｃ内にスライドして収納されるように構成され他端に係合凹部６ａが形成された長尺状の長さ調整部６ｄとを備えている。長さ調整部６ｄは本体６ｃに調整ネジ７によって固定されるが、本体６ｃの他端には、長手方向に延びるスライド溝６ｅが形成され、長さ調整部６ｄの一端にはネジ孔（図示省略）が形成されており、スライド溝６ｅに通した調整ネジを長さ調整部６ｄのネジ孔に螺合させるように構成されているので、長さ調整部６ｄをスライドさせ調整ネジ７を締め付ける位置を変えることによって固定取付台６の長さを変えることができる。
【００１４】
次に、図３で、８は、固定取付台６上に取り付けられ、床パネル３の通線口３ｂの下部に配置される略箱型のボックスである。ボックス８は上方に開口８ａを有し、側面には、商用電源接続器（コンセント）または情報用接続器（モジュラージャック）が取り付けられる接続器取付窓８ｂが形成されていると共に、ボックス８の外側側面の下部には、ネジ挿通孔８ｃが形成された取付部８ｄが外側水平方向に突出するように構成されている。このボックス８は、図４に示すように、ボックス８を固定取付台６上に配置し、取付ネジ９をボックス８のネジ挿通孔８ｃ及び固定取付台６の取り付け溝６ｂを通して、取付板１０のネジ孔１０ａに螺合させることによって固定する。また、図３で、１１は取付プレートで、開口１１ａを備えた平面視略長方形状の枠部１１ｂと、枠部１１ｂに直交するように枠部１１ｂに接合された電線固定板部１１ｃとを備えている。この取付プレート１１は、外観を整えるためと、コンセントに接続される電線を固定するために設けられている。さらに、図３で、４ｂはボックス８と通線口用蓋４とを連結するゴムまたは金属等で構成された紐状の連結材で、ボックス８から通線口用蓋４が離れすぎないようにするために設けられている。
【００１５】
次に、図３に基づいてボックス８に接続器を取り付ける方法の一例について説明する。図で、１２は、接続器であるコンセント（プラグ栓刃挿入口を備えた商用電源接続器）、１３は接続器の他の例であるモジュラージャックである。以下、ボックス８に取り付ける接続器は、コンセント１２であるとして説明する。
【００１６】
まず、コンセント１２を、接続器取付窓１４ａが形成された取付枠１４にかしめ等によって取り付ける。このとき、コンセント１２のプラグ栓刃挿入口が取付枠１４の接続器取付窓１４ａから露出するよう固定される。次に、それをボックス８と取付プレート１１とで挟み込むようにしてコンセント１２をボックス８に取り付ける。詳細に説明すると、コンセント１１のプラグ栓刃挿入口が取付プレート１４の接続器取付窓１４ａを通じてボックス８の内部に露出するように、取付枠１４に取付プレート１１を当接させ、コンセント１２の裏面（プラグ栓刃挿入口が形成されている面の対面）でボックス８の接続器取付窓８ｂを塞ぐようにしてコンセント１２をボックス８の接続器取付窓８ｂに嵌め込む。但し、コンセント１２には、図３に示すように側面に突起１２ａが形成されており、この突起１２ａがボックス８の接続器取付窓８ｂの縁部に当接するように構成されているので、突起１２ａがボックス８の接続器取付窓８ｂの縁部に当接した状態で、コンセント１２はボックス８の内側側面と取付プレート１１に挟まれた状態となる。その状態で、取付ビス１５を取付プレート１１のネジ挿通孔１１ｄ及び取付板１４のネジ挿通孔１４ｂに相通させ、ボックス８のネジ孔８ｅに螺合させてコンセント１２をボックス８に固定する。ただし、取付プレート１１の電線固定板部１１ｂの先端部は、ボックス８の接続器取付窓８ｂから外側に突出するように構成されており、取付プレート１１の電線取付板部１１ｂの先端付近には、インシュロック等の固定手段でコンセント１１に接続する電線を固定するための電線固定用孔１１ｃが設けられている。
【００１７】
次に、図１及び図２に基づいてボックス８を床パネル３の通線口３ｂの下部に固定する方法の一例について説明する。図で、支柱２は接着剤等により、床スラブ１上に固定されているので、隣接する支柱２，２のネジ部２ｂ，２ｂ間に固定取付台６を橋渡しして固定した後、ボックス８を固定取付台６上に載置し、床パネル３の通線口３ｂの下部に位置するように位置調整を行い、図４に示した方法で固定取付台上に固定する。次に、配線のための空間に布設された電線（図示省略）をコンセント１２に接続する。次に、床パネル３を支柱２上に載置し、通線口用蓋４で通線口３ｂを塞ぐようにする。これにより、通線口用蓋４を開けば、通線口３ｂの下部にコンセント１２が現れるので床上への電線の引き出しを容易に行うことができる。通線口用蓋４の一部を除去して、それによって形成された開口に電線を相通させれば、通線口３ｂ近傍の床パネルの強度を維持したまま、床上への電線の引き出しを行うことができる。また、通線口用蓋４の上面は床パネル３の上面と略面一となるので、美観を損ねることもない。さらに、隣接するタイルカーペット間の隙間から電線をタイルカーペット上に引き出したり、タイルカーペットに切れ目を入れて、その切れ目からタイルカーペット上に電線を引き出すことができるので、アクセスフロア面に取り付けるインナーコンセントのように、タイルカーペットを部分的に切断して除去する必要がない。
【００１８】
また、図１に示すように、ボックス８の開口上端部８ｆと床パネル３間に前記ボックス８の開口８ａより小さい開口を備えた平面視略環状のスポンジ等の弾性体１６を挟み込むように構成してもよい。このように構成することによって、床パネル３下部の配線のための空間に溜まる埃等がボックス８の内部に入り込むことを防止することができるので、火災等の原因となるトラッキング現象を防止することができる。
【００１９】
次に、図６に基づいて本発明の異なる実施形態について説明する。図で（ａ）は上面図、（ｂ）は側面図である。図は、取付方法が異なるボックスの一例を示したもので、略箱型のボックス１７は上方に開口１７ａを備えている。また、ボックス１７の１つの側面の上端部及びその対面となる側面の上端部からボックス１７の外側に向かって水平方向に略長方形状の支持部１７ｂがそれぞれ２個形成されている。さらに、ボックス１７の外側側面の、支持部１７ｂの下部位置に、断面Ｊ字状の弾性を有する保持片１８が、湾曲した部分が上側となるようにかしめ等によって取り付けられている。
【００２０】
図６に示したボックス１７を取り付ける方法を図７に基づいて説明する。図は、床パネル３にボックス１７を取り付けた状態を示す断面図で、図に示すように、支持部１７ｂを床パネル３の鍔部３ｃ上に載置し、支持部１７ｂと保持片１８とで鍔部３ｃを上下から挟み込むようにする。これにより、ボックス１７を通線口３ｂの下部に取り付けることができる。但し、床パネル３の凹部３ａの深さと略等しい厚さの通線口用蓋４を用いた場合は、支持部１７ｂの板厚分だけ通線口用蓋４の上面は床パネル３の上面より高くなる。
【００２１】
次に、図８及び図９に基づいて本発明のさらに異なる例について説明する。図８は通線口用蓋の異なる例を示した平面図、図９は、図７に示したボックス１７上に、図８に示す通線口用蓋１９を載置した状態を示す図で、（ａ）は平面図、（ｂ）は断面図である。図８に示す通線口用蓋１９は、電線挿通口を形成するために除去される２つの電線挿通用除去部１９ａのほかに、通線口用蓋１９の、支持部１７ｂの上方に位置する部分を除去可能なように形成して支持部用除去部１９ｂを設けたものである。支持部用除去部１９ｂを除去すると共に、電線挿通用除去部１９ａの一方を除去した通線口用蓋１９を、図９に示すように取り付ければ、支持部１７ｂの板厚に関わらず、通線口用蓋１９の上面を床パネル３の上面と略面一となるように構成することができる。
【００２２】
本発明のさらに異なる例を図１０の断面図に示す。図に示すボックス２０は、上方開口付近よりボックスの内部の方が大きくなるように構成したボックスであり、ボックス２０内部の底面に断面視略コ字状の取付板２１を接合し、その取付板２１の開口にコンセント２２をかしめ等の手段によって固定したものである。この場合、配線空間に布設される電線を、ボックスの側面に形成した電線挿通口（図示省略）に挿通させてコンセント２２に接続するように構成すればよい。
【００２３】
【発明の効果】
請求項１乃至２記載の簡易型インナーコンセントでは、床パネルの通線口下部に接続器が位置するように構成されているので、通線口用蓋を開くことによって容易に接続器へのプラグの挿抜が可能となり、床パネルの電線挿通口用蓋を、接続器のカバーに流用しているので安価に構成することができる。さらに、隣接するタイルカーペット間の隙間から電線をタイルカーペット上に引き出したり、タイルカーペットに切れ目を入れて、その切れ目からタイルカーペット上に電線を引き出すことができるので、アクセスフロア面に取り付けるインナーコンセントのように、床パネル及びタイルカーペットを切断して部分的に除去する必要がないため、レイアウト変更に伴う移設、増設が容易になる。
【００２４】
また、床パネル下部の配線空間に溜まる埃等がボックスの内部に入り込みにくくなるので、火災等の原因となるトラッキング現象が発生する可能性を小さくすることができる。
【図面の簡単な説明】
【図１】本発明の簡易型インナーコンセントを施工した状態を示す断面図である。
【図２】本発明の簡易型インナーコンセントを施工した状態を示す分解斜視図である。
【図３】コンセント等の接続器等を内蔵するボックスの分解斜視図である。
【図４】ボックスの取り付け方法を示す説明図である。
【図５】電線を床上に引き出した状態を示す平面図である。
【図６】異なるボックスを示す図で、（ａ）は上面図、（ｂ）は側面図である。
【図７】床パネルにボックスを取り付けた状態を示す断面図である。
【図８】通線口用蓋の異なる例を示した平面図である。
【図９】図７に示したボックス上に、図８に示す通線口用蓋を載置した状態を示す図で、（ａ）は平面図、（ｂ）は断面図である。
【図１０】異なるボックスを示す断面図である。
【符号の説明】
１              床スラブ
２              支柱
３              床パネル
３ａ            凹部
３ｂ            通線口
３ｃ            鍔部
４              通線口用蓋
６              固定取付台（支持手段）
８，１７，２０  ボックス
１２            コンセント（接続器）
１６            弾性体
【図１】
0004020794.tif 000002
【図２】
0004020794.tif 000003
【図３】
0004020794.tif 000004
【図４】
0004020794.tif 000005
【図５】
0004020794.tif 000006
【図６】
0004020794.tif 000007
【図７】
0004020794.tif 000008
【図８】
0004020794.tif 000009
【図９】
0004020794.tif 000010
【図１０】
0004020794.tif 000011